【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
ユーザによって入力される第一の音声情報を受信するステップ（Ｓ１０１）と；
モデリング要件を満たすプリセットキーワードが前記第一の音声情報に含まれて搬送されているかどうかを決定するステップ（Ｓ１０２）と；
前記決定結果が肯定である場合、前記第一の音声情報から、モデリング要件を満たす前記プリセットキーワードに対応する音声分節を取り込むステップ（Ｓ１０３）と；
前記音声分節を用いることによって前記ユーザのための声紋モデルを構築するステップ（Ｓ１０４）とを備える：
ユーザ声紋モデルを構築するための方法。
【請求項２】
モデリング要件を満たすプリセットキーワードが前記第一の音声情報に含まれて搬送されているかどうかを決定する前記ステップは、
前記ユーザの前記声紋モデルが既に現時点で存在している場合、前記声紋モデルに含まれていないプリセットキーワードが前記第一の音声情報に含まれて搬送されているかどうかを決定するステップ、又は、
前記ユーザの前記声紋モデルが既に現時点で存在している場合、前記声紋モデルに既に含まれているプリセットキーワードが前記第一の音声情報に含まれて搬送されているかどうかを決定するステップを備える：
請求項１に記載の方法。
【請求項３】
前記音声分節を用いることによって前記ユーザのための声紋モデルを構築する前記ステップは、
前記ユーザの前記声紋モデルが既に現時点で存在している場合、前記音声分節を用いて前記声紋モデルを更新するステップを備える：
請求項１又は２に記載の方法。
【請求項４】
前記声紋モデルに含まれていないプリセットキーワードが前記第一の音声情報に含まれて搬送されているということを決定する時、前記音声分節を用いる前記声紋モデルを更新するステップは、前記声紋モデルに前記音声分節を加えることによって前記声紋モデルを更新するステップを備える：
請求項３に記載の方法。
【請求項５】
前記声紋モデルにすでに含まれているプリセットキーワードが前記第一の音声情報に含まれて搬送されているということを決定する時、前記音声分節を用いる前記声紋モデルを更新するステップは、前記声紋モデルを訓練するステップを備える：
請求項３又は４に記載の方法。
【請求項６】
モデリング要件を満たすプリセットキーワードが前記第一の音声情報に含まれて搬送されているかどうかを決定する前記ステップは、
音響モデルを用いて前記第一の音声情報を分割して少なくとも１つの音声分節を取得するステップと；
前記取得した音声分節又はそれらの組み合わせがモデリング要件を満たす前記プリセットキーワードの音響特徴に一致するかどうかを決定し、肯定の場合、モデリング要件を満たす前記プリセットキーワードが前記第一の音声情報に含まれて搬送されていることを決定するステップとを備える：
請求項１に記載の方法。
【請求項７】
モデリング要件を満たすプリセットキーワードが前記第一の音声情報に含まれて搬送されているかどうかを決定する前記ステップは、
前記第一の音声情報に関する音声認識を行って、対応するテキスト情報を取得するステップと；
言語モデルを用いて前記テキスト情報を分割して少なくとも１つのテキスト分節を取得するステップと；
前記取得したテキスト分節又はそれらの組み合わせがモデリング要件を満たす前記プリセットキーワードの前記テキスト内容と一致するかどうかを決定し、肯定の場合、モデリング要件を満たす前記プリセットキーワードが前記第一の音声情報に含まれて搬送されていることを決定するステップとを備える：
請求項１に記載の方法。
【請求項８】
前記ユーザによって入力される第二の音声情報を受信するステップ（Ｓ２０１）と；
検証要件を満たすプリセットキーワードが前記第二の音声情報に含まれて搬送されているかどうかを決定するステップ（Ｓ２０２）と；
前記決定結果が肯定である場合、前記第二の音声情報から、検証要件を満たす前記プリセットキーワードに対応する音声分節を取り込むステップ（Ｓ２０３）と；
前記音声分節の声紋特徴を抽出するステップ（Ｓ２０４）と；
前記ユーザの前記声紋特徴と前記構築された声紋モデルとを用いて前記ユーザの前記身元を検証するステップ（Ｓ２０５）とを更に備える：
請求項１ないし請求項７のいずれか１項に記載の方法。
【請求項９】
前記ユーザの前記声紋モデルに含まれていないプリセットキーワードが前記第二の音声情報に含まれて搬送されているかどうかを決定するステップと；
前記決定結果が肯定である場合、前記第二の音声情報から、前記ユーザの前記声紋モデルに含まれていないプリセットキーワードに対応する音声分節を取り込むステップと；
前記ユーザの前記声紋モデルに含まれていない前記プリセットキーワードに対応する前記音声分節を用いて前記ユーザ前記声紋モデルを更新するステップとを更に備える：
請求項１ないし請求項７のいずれか１項に記載の方法。
【請求項１０】
ユーザによって入力される第一の音声情報を受信する工程が、声紋情報登録の操作の実行以外の改善機能のための第一の音声情報を受信する工程を含む；
請求項１ないし請求項９のいずれか１項に記載の方法。
【請求項１１】
ユーザによって入力される第一の音声情報を受信する工程が、他の音声に基づく操作を用いるユーザによって入力される第一の音声情報を受信する工程を含む；
請求項１ないし請求項９のいずれか１項に記載の方法。
【請求項１２】
請求項１ないし請求項１１のいずれか１項に記載の方法を遂行するために構成された複数のモジュールを含む；
ユーザ声紋モデルを構築するための装置。
【手続補正２】
【補正対象書類名】明細書
【補正対象項目名】００６８
【補正方法】変更
【補正の内容】
【００６８】
本願の特定の実施は上で説明されている。当業者は、いくらかの改良及び改変を本願の原理から逸脱することなく行うことができ、これらの改良及び改変は、本願の保護適用範囲に含まれるとして見なすべきであることに留意されたい。
以下、本発明の実施の態様の例を列挙する。
［第１の局面］
ユーザによって入力される音声情報を受信するステップと；
モデリング要件を満たすプリセットキーワードが前記音声情報に含まれて搬送されているかどうかを判断するステップと；
前記判断結果が肯定である場合、前記音声情報から、モデリング要件を満たす前記プリセットキーワードに対応する音声分節を取り込むステップと；
前記音声分節を用いることによって前記ユーザのための声紋モデルを構築するステップとを備える：
ユーザ声紋モデルを構築するための方法。
［第２の局面］
モデリング要件を満たすプリセットキーワードが前記音声情報に含まれて搬送されているかどうかを判断する前記ステップは、
前記ユーザの前記声紋モデルが既に現時点で存在している場合、前記声紋モデルに含まれていないプリセットキーワードが前記音声情報に含まれて搬送されているかどうかを判断するステップ、又は、
前記ユーザの前記声紋モデルが既に現時点で存在している場合、前記声紋モデルに既に含まれているプリセットキーワードが前記音声情報に含まれて搬送されているかどうかを判断するステップを備える：
第１の局面に記載の方法。
［第3の局面］
前記音声分節を用いることによって前記ユーザのための声紋モデルを構築する前記ステップは、
前記ユーザの前記声紋モデルが既に現時点で存在している場合、前記音声分節を用いることによって前記声紋モデルを更新するステップを備える：
第１又は第２の局面に記載の方法。
［第４の局面］
モデリング要件を満たすプリセットキーワードが前記音声情報に含まれて搬送されているかどうかを判断する前記ステップは、
音響モデルを用いることによって前記音声情報を分割して少なくとも１つの音声分節を取得するステップと；
前記取得した音声分節又はそれらの組み合わせがモデリング要件を満たす前記プリセットキーワードの音響特徴に一致するかどうかを判断し、肯定の場合、モデリング要件を満たす前記プリセットキーワードが前記音声情報に含まれて搬送されていることを判断するステップとを備える：
第１の局面に記載の方法。
［第５の局面］
モデリング要件を満たすプリセットキーワードが前記音声情報に含まれて搬送されているかどうかを判断する前記ステップは、
前記音声情報に関する音声認識を行って、対応するテキスト情報を取得するステップと；
言語モデルを用いることによって前記テキスト情報を分割して少なくとも１つのテキスト分節を取得するステップと；
前記取得したテキスト分節又はそれらの組み合わせがモデリング要件を満たす前記プリセットキーワードの前記テキスト内容と一致するかどうかを判断し、肯定の場合、モデリング要件を満たす前記プリセットキーワードが前記音声情報に含まれて搬送されていることを判断するステップとを備える：
第１の局面に記載の方法。
［第６の局面］
ユーザによって入力される音声情報を受信するステップと；
検証要件を満たすプリセットキーワードが前記音声情報に含まれて搬送されているかどうかを判断するステップと；
前記判断結果が肯定である場合、前記音声情報から、検証要件を満たす前記プリセットキーワードに対応する音声分節を取り込むステップと；
前記音声分節の声紋特徴を抽出するステップと；
前記ユーザの前記声紋特徴と予め構築された声紋モデルとを用いることによって前記ユーザの前記身元を検証するステップとを備える：
声紋に基づくユーザ身元検証方法。
［第７の局面］
前記ユーザの前記声紋モデルに含まれていないプリセットキーワードが前記音声情報に含まれて搬送されているかどうかを判断するステップと；
前記判断結果が肯定である場合、前記音声情報から、前記含まれていないプリセットキーワードに対応する音声分節を取り込むステップと；
前記含まれていない前記プリセットキーワードに対応する前記音声分節を用いることによって前記ユーザの前記声紋モデルを更新するステップとを更に備える：
第６の局面に記載の方法。
［第８の局面］
ユーザによって入力される音声情報を受信するよう構成された音声情報受信モジュールと；
モデリング要件を満たすプリセットキーワードが前記音声情報に含まれて搬送されているかどうかを判断するよう構成されたモデリングキーワード判断モジュールと；
前記判断結果が肯定である場合、前記音声情報から、モデリング要件を満たす前記プリセットキーワードに対応する音声分節を取り込むよう構成された音声分節取込モジュールと；
前記音声分節を用いることによって前記ユーザのための声紋モデルを構築するよう構成された声紋モデル構築モジュールとを備える：
ユーザ声紋モデルを構築するための装置。
［第９の局面］
前記モデリングキーワード判断モジュールは、具体的には、
前記ユーザの前記声紋モデルが既に現時点で存在している場合、前記声紋モデルに含まれていないプリセットキーワードが前記音声情報に含まれて搬送されているかどうかを判断する；又は、
前記ユーザの前記声紋モデルが既に現時点で存在している場合、前記声紋モデルに既に含まれているプリセットキーワードが前記音声情報に含まれて搬送されているかどうかを判断するように構成された：
第８の局面に記載の装置。
［第１０の局面］
前記声紋モデル構築モジュールは、具体的には、
前記ユーザの前記声紋モデルが既に現時点で存在している場合、前記音声分節を用いることによって前記声紋モデルを更新するよう構成された：
第８又は第９の局面に記載の装置。
［第１１の局面］
前記モデリングキーワード判断モジュールは、具体的には、
音響モデルを用いることによって前記音声情報を分割して少なくとも１つの音声分節を取得し；
前記取得した音声分節又はそれらの組み合わせがモデリング要件を満たす前記プリセットキーワードの前記音響特徴に一致するかどうかを判断し、肯定の場合、モデリング要件を満たす前記プリセットキーワードが前記音声情報に含まれて搬送されていることを判断するように構成された：
第８の局面に記載の装置。
［第１２の局面］
前記モデリングキーワード判断モジュールは、具体的には、
前記音声情報に関する音声認識を行って、対応するテキスト情報を取得し；
言語モデルを用いることによって前記テキスト情報を分割して少なくとも１つのテキスト分節を取得し；
前記取得したテキスト分節又はそれらの組み合わせがモデリング要件を満たす前記プリセットキーワードの前記テキスト内容と一致するかどうかを判断し、肯定の場合、モデリング要件を満たす前記プリセットキーワードが前記音声情報に含まれて搬送されていることを判断するように構成された：
第８の局面に記載の装置。
［第１３の局面］
ユーザによって入力される音声情報を受信するよう構成された音声情報受信モジュールと；
検証要件を満たすプリセットキーワードが前記音声情報に含まれて搬送されているかどうかを判断するよう構成された検証キーワード判断モジュールと；
前記判断結果が肯定である場合、前記音声情報から、検証要件を満たす前記プリセットキーワードに対応する音声分節を取り込むよう構成された音声分節取込モジュールと；
前記音声分節の声紋特徴を抽出するよう構成された声紋特徴抽出モジュールと；
前記ユーザの前記声紋特徴及び予め構築された声紋モデルを用いることによって前記ユーザの前記身元を検証するよう構成された検証モジュールとを備える：
声紋に基づくユーザ身元検証装置。
［第１４の局面］
前記システムは、第８乃至第１２の局面のいずれかに記載のユーザ声紋モデルを構築するための前記装置と、第１３の局面に記載の前記ユーザ身元検証装置とを備える：
声紋に基づくユーザ身元検証システム。